(57)【要約】
【課題】電子レンジ加熱用食品容器において、内部に適量の水を安定に注ぎ入れることを可能にし、加熱前もしくは加熱中であっても食品が濡れないようにする。
【解決手段】電子レンジにて加熱することにより、食品を蒸すことができる容器であって、上面が開口された容器本体と、この容器本体の開口部を覆う蓋体とを備え、底壁には多数の凸部を設け、側壁の一部には、容器本体のコーナー部において、側壁の上端から下端に向けて、底壁に対して１００°〜１５０°の角度で傾斜する注水ガイド部が形成される。容器本体の開口部は、水滴が滴下するのを防ぐフィルムによって閉じられている。
【選択図】図１
0003100343.tif 000002
【実用新案登録請求の範囲】
【請求項１】
　内部に収容された食品を電子レンジにて加熱することにより、食品を蒸すことができる容器であって、
　底壁およびその縁部から上方に立ち上がる側壁で形成され、上面にフランジ部を設けて開口させた容器本体と、この容器本体の開口部を覆うように設けた蓋体とを備え、
　前記底壁には、水を貯留する凹部が連通して形成されるように凸部を設け、
　前記側壁の一部には、上端から下端に向けて、前記底壁に対して１００°〜１５０°の角度で傾斜する注水ガイド部を形成し、
　前記注水ガイド部が、前記容器本体内の前記凹部内に水を注ぎ入れる際のガイドとするように構成されていることを特徴とする電子レンジ加熱用食品容器。
【請求項２】
　前記蓋体が、熱可塑性の合成樹脂フィルムで形成され、前記フランジ部で熱融着されていることを特徴とする請求項１に記載の電子レンジ加熱用食品容器。
【請求項３】
　前記蓋体には、蒸気が結露して滴下することを防止する滴下防止手段が施されていることを特徴とする請求項１または２に記載の電子レンジ加熱用食品容器。
【請求項４】
　前記滴下防止手段は、前記フィルムの材質を親水性部材で形成し、もしくは、前記フィルムの内側面に親水化処理を施すことにより、水滴が前記フィルムの表面を流れ落ちるようにしたことを特徴とする請求項３に記載の電子レンジ加熱用食品容器。
【請求項５】
　請求項１乃至４の何れかに記載の電子レンジ加熱用食品容器内に収納されていることを特徴とする容器付き食品。
【考案の詳細な説明】
【技術分野】
【０００１】
　本考案は、電子レンジにより食品を加熱して蒸し上けるための食品容器に関し、さらに詳細には、例えばギョーザ、シューマイ、肉まんなどの加工済もしくは半加工済の、冷凍食品もしくはチルド食品等の、蒸してから食卓に供する食品を収容するための電子レンジ加熱用食品容器に関するものである。
【背景技術】
【０００２】
　上記のような加工もしくは半加工済の冷凍食品もしくはチルド食品を電子レンジを用いて加熱調理するために、従来は、これら食品が包装されていたトレーで、または皿などの別の容器に移し替えて、ラップ防滴フィルム等を被せて処理するのが一般的である。しかしながら、このような方法によると、加熱後の食品は概して水分が不足するために食感や旨みに劣るものとなりやすい。そこで、例えば霧吹き等で水を補った後に加熱処理されることもあるが、使用する水の量によっては、やはり水分不足であったり、過量に水を用いることでトレーまたは容器の底部や、ラップフィルムと食品との接触部に水が溜まり、食品がべたついたり膨潤したりするという問題点があった。
【０００３】
　このような問題を解消するために、従来からいくつかの提案がなされている。例えば、実開平４−４１８７２号公報には、冷凍した蒸煮食品を収容する容器の底部内側を凹凸状に形成し、凹部を氷収容空間として氷を収容すると共に、蒸煮食品を、凸部上に支持させた後、口部を封塞した電子レンジ解凍用包装冷凍蒸煮食品が開示されている。
【０００４】
　また特開平８−２８９７４１号公報に記載された発明では、一端の開口された耐熱・耐圧防滴フィルムまたはシートからなり、内部に保水シートを備えた調理用袋体の保水シートに調理液を含浸させ、この調理用袋体に食品を入れたのち、調理用袋体の開口端を密封することが提案されている。
【特許文献１】実開平４−４１８７２号公報
【特許文献２】特開平８−２８９７４１号公報
【考案の開示】
【考案が解決しようとする課題】
【０００５】
　解決しようとする問題点は、上記のような従来の容器では、電子レンジで加熱することにより内部の食品を蒸し調理するのに先だって、底部に所定量の水を注ぎ入れる際に、水流の勢いで水が内部で飛び散ったり、あるいは容器を揺らしたり傾けたりすると、水または湯が食品に掛かり、食品を濡らしてしまうことがあった。加熱前もしくは加熱中であっても食品が濡れてしまう（蒸気による濡れは除く）と、その食品の種類によっては、べたつき等が生じ、また、食品を蒸し調理する間に、容器の天井から水蒸気が結露して水滴として落下した場合であっても、同様に食品がべたつくことから、食味、食感が大きく損なわれてしまうという問題点がある。
【課題を解決するための手段】
【０００６】
　本考案は、従来の電子レンジ加熱用食品容器にともなう上記のような問題点を解決することを目的とするものである。
【０００７】
　即ち、請求項１に記載の考案は、内部に収容された食品を電子レンジにて加熱することにより、食品を蒸すことができる容器であって、底壁およびその縁部から上方に立ち上がる側壁で形成され、上面にフランジ部を設けて開口させた容器本体と、この容器本体の開口部を覆うように設けた蓋体とを備え、前記底壁には、水を貯留する凹部が連通して形成されるように凸部を設け、前記側壁の一部には、上端から下端に向けて、前記底壁に対して１００°〜１５０°の角度で傾斜する注水ガイド部を形成し、前記注水ガイド部が、前記容器本体内の前記凹部内に水を注ぎ入れる際のガイドとするように構成されていることを特徴とする。
【０００８】
　請求項２に記載の考案は、前記蓋体が、熱可塑性の合成樹脂フィルムで形成され、前記フランジ部で熱融着されていることを特徴とする。
【０００９】
　請求項３に記載の考案は、前記蓋体に、蒸気が結露して滴下することを防止する滴下防止手段が施されていることを特徴とする。
【００１０】
　請求項４に記載の考案は、前記滴下防止手段が、前記フィルムの材質を親水性部材で形成し、もしくは、前記フィルムの内側面に親水化処理を施すことにより、水滴が前記フィルムの表面を流れ落ちるようにしたことを特徴とする。
【００１１】
　請求項５に記載の考案は、容器付き食品が、請求項１乃至４の何れかに記載の電子レンジ加熱用食品容器内に収納されていることを特徴とする。
【考案の効果】
【００１２】
　本考案の電子レンジ加熱用食品容器は、側壁の一部において、その上端から下端に向けて、底壁に対して１００°〜１５０°の角度で傾斜する注水ガイド部を形成したことにより、この注水ガイド部から水を、食品に跳ね掛かることなしに安定に注ぎ入れることができるという効果が得られる。
　蓋体は、容器本体のフランジ部にヒートシール（熱融着）された熱化塑性の合成樹脂フィルムであり、これにより、収納されている食品を密封して保存でき、水を注ぐ際には、注水ガイド部にシールされたフィルムを僅かに剥がすだけで水が注げる。
　このようなフィルムを親水性部材もしくは親水化処理を施して形成することにより、加熱調理の際に、蒸気が結露して食品に水滴が滴下しないものとする。
　また、電子レンジ加熱用食品容器内に収納されて提供される食品は、加熱調理の際に水滴で水濡れしないので、おいしく蒸されて提供される。
【考案を実施するための最良の形態】
【００１３】
　内部に収容された食品を電子レンジにて加熱することにより、食品を蒸すことができる容器であって、上面を開口して開口部を有する容器本体および蓋体とを備え、容器本体の底壁には多数の凸部が設けられ、容器本体の一部において、側壁の上端から下端に向けて、底壁に対して１００°〜１５０°の角度で傾斜する注水ガイド部が形成され、容器本体の開口部は、水滴が滴下しないように滴下防止手段が施されたフィルムによって閉じられている。
【実施例１】
【００１４】
　以下、本考案の一実施例による電子レンジ加熱用食品容器について図面を参照して詳細に説明する。図１は、食品容器１０が容器本体１の開口部をフィルム５で密封されて形成されていることを示した分解斜視図であり、図２は、蒸すことによって食すことができる食品１２を収納した食品容器１０の斜視図である。図１及び図２に示すように、実施例１における容器本体１は、合成樹脂フィルムをプレス成形して形成したものであり、平面形状がほぼ円形になるように形成し、容器本体１の側壁３の上縁には、外側に延出させてフランジ部４を設けている。また、容器本体１の底壁２には、平面形状を略三日月形状に形成した凸部２１が、底壁２から突出させて設けられている。この凸部２１は、その頂部において食品１２が載置できるように、互いに所定間隔を隔てて設けられており、水が注ぎ込まれた際には、水が底壁２に行き渡るように、水の通路が確保されて配置されている。
【００１５】
　さらに、容器本体１には、側壁３の一部に上端から下端に向けて底壁２に対して１００°〜１５０°の角度で傾斜する注水ガイド部２４が形成されており、容器本体１内に水を注ぎ入れる際のガイドとして機能するように構成されている。この食品容器１０は、容器本体１のフランジ部４で、容器本体１の開口部をフィルム５でヒートシールして形成したものであるが、使用時には、注水ガイド部２４に接着されているフィルム５を僅かに剥がし、その注水ガイド部２４においてフィルム５が剥がれた隙間から水を注ぎ入れるように構成したものである。
【００１６】
　図３は、電子レンジ１５に、食品容器１０を入れて加熱（蒸し調理）している状態を示したものである。加熱中には、注水ガイド部２４から蒸気（矢印Ａ）が噴き出し、内部の圧力を下げているが、それでも内部の圧力が高くなることから、フィルム５が若干盛り上がる。このような傾斜を利用して、フィルム５に結露する水滴をフィルム５の内側面で流れるようにする。このような滴下防止手段が施されることにより、水滴が食品に滴下する食品の水濡れを防止することができる。水滴がフィルム５の内側面で流れるようにする為に、フィルム５の材質は親水性素材とするのがよい。このような親水性素材としては、レーヨン、ポリビニルアセテート、親水性ポリアミド、親水性ポリエステル等が利用できる。また、ポリオレフィンに、親水化処理剤を塗布したり、コロナ放電処理等を施すことにより、表面を親水性の官能基で満たすようにしてもよい。
　尚、フィルム５の内側面に吸水性のシートを設けて落下する水滴を受け止めるようにした場合には、水滴によって食品が濡れることがないものとする効果が向上する。
【実施例２】
【００１７】
　図４は、第２の実施例における電子レンジ加熱用食品容器について示したものである。因みに、図４は、容器本体１に仕切板が設けられることを示した分解斜視図であり、図５は、図４のＡ−Ａ線断面図であり、図６は、図５のＢ−Ｂ線断面図である。図４乃至図６に示すように、容器本体１は、平面形状が、ほぼ長方形の比較的浅い箱形に形成され、容器本体１の側壁３の上縁には、外側に延出させてフランジ部４を設け、フィルム５がヒートシールできるようにている。このフランジ部４には、フィルム５が被せられ、容器本体１の上面開口部を塞ぎ、内部収納される食品を密封するように構成されている。
【００１８】
　上述したフィルム５は、実施例１で述べた滴下防止手段が設けられたものとするのがよい。滴下防止手段としては、さらに、容器本体１もしくはフィルム５の内側に、フィルム５から落下する水滴を受け止めて、食品に水滴が滴下するのを防止する吸水性のシートを設けてもよい。このような吸水性のシートとしては、綿布やパルプシートが好適に利用できる。
【００１９】
　容器本体１の素材としては、内部に収容される食品の重量に耐え得る強度と、低温域（例えば、−２０〜０℃）から高温域（例えば、１００〜１３０℃）の間の温度変化に対して材質的および構造的に変化を生じない程度の耐熱性を有し、また食品の加熱に使用されるという性質上、内部に収容される食品との間で物理的ないし化学的な影響を及ぼすおそれのないものが選択される。
【００２０】
　一般的には、内部に高温の食品を収容するのに適した種々の素材から選択することができ、一例を示すと、ポリエチレン、ポリプロピレン、ポリメチルペンテン等のポリオレフィン、ナイロン、ポリエチレンテレフタレート、ポリカーボネートなどの樹脂が挙げられる。これらの樹脂は単独で用いられてもよいし、タルク、炭酸カルシウム、マイカ、シリカ等の無機充填材とのブレンドとして用いられてもよい。また、酸素ガスバリア性、耐熱性、耐寒性、易開封性等の種々の機能を補強するために、２層以上を積層したものも用いることができる。耐熱性、耐溶出性といった点に鑑みれば、ポリプロピレン系材料が好適に用いられる。
【００２１】
　内部に収納される食品を密封するためのフィルム５は、その周囲を容器本体１のフランジ部４にヒートシールして接着する。このようなフィルム５は、上述したように親水性素材のものがよく、さらに、適度の弾性、易開封性、剛性、耐引裂性等を有するものが好ましい。また、容器本体１に収納される食品の経時的酸化を防止するために、窒素ガス等の不活性気体を封入、充填することがあるが、その場合にも、封入された気体を透過し難く、したがって封状態を維持することができる素材であることが好ましい。このような条件に適合する素材としては、例えば、エチレンビニルアルコール共重合体ポリ塩化ビニリデン、ナイロン、無機蒸着ポリエチレンテレフタレート等が利用できる。さらに、ガスバリア層として用いられたフィルムに、親水化処理剤を塗布することにより、滴下防止が施されたものとなる。
　容器本体１に着脱可能な蓋体を使用する場合には、ポリプロピレン、ポリエチレンテレフタレート等の熱可塑性樹脂からなる蓋体が適する。
【００２２】
　容器本体１は、その底壁２に多数の凸部２１が設けられ、その結果として、各凸部２１の間に谷部もしくは凹部が形成されている。凸部２１の大きさおよび分布は、この電子レンジ加熱用食品容器に収容される食品個々の大きさもしくは形状に応じて適宜選択する。また凸部２１の形状は、図示の例では半球状であるが、相互に連通せず、したがって隣接する凸部２１との間に凹部が形成されるようなものであればよい。ただし、底壁２の面積に対して、凹部２２の面積が適当な割合、例えば３０〜７０％程度を占めるような形状を選択することが望ましい。この凹部は、食品容器内に収容されている食品に直接触れることなく、これを蒸すのに必要な水を収容するための空間となる。尚、底壁２のコーナーに、凸部２１よりも高い突条の支持部２３が設けてある。この突条の支持部２３については後述する。
【００２３】
　容器本体１には、更に、その少なくとも１つのコーナー部において、側壁３の一部に注水ガイド部２４が形成されている。この注水ガイド部２４は、図５および図６に詳細に示すように、容器本体１の側壁３のコーナー部において、側壁３の頂部から底壁２に向かって、底壁２に対する側壁３の角度（この例では約９０°）よりも大きい適当な角度、例えば底壁２に対して１００°〜１５０°の角度で傾斜し、さらに好ましくは幅方向の中央部がやや低くなった樋状のスロープを形成している。また、このスロープの上端は側壁３の上端もしくはその近傍で、フランジ部４を刳るように設けられ、下端は底壁２の凹部２２内に達している。
【００２４】
　この注水ガイド部２４は、容器本体１のフランジ部４からフィルム５の一部を剥離して注水口とし、この注水口から容器本体１の底壁２に向かって水を注ぎ入れる際のガイドとする。したがって、注水ガイド部２４の、底壁２に対する角度が大きすぎると、注ぎ入れた水が底壁２に衝突して飛散し、その近辺に収容されている食品を濡らし、加熱後の食感を他の部分とは異なるものとするおそれがあり、逆に、小さすぎると、食品を入れる容積が制限される。
【００２５】
　図４および図５において、符号３０は、本考案の電子レンジ加熱用食品容器において必要に応じて設けられる仕切板を示す。この仕切板３０は、容器本体１に設けられた支持部２３に支持された状態で、容器本体１の内部空間を上下方向に２つに分割するように配置される。仕切板３０には、その上方および下方に位置する空間を相互に連通するために、その全面にわたって適当な密度で分散するように設けられた多数の開孔３１と、上述の注水ガイド部２４と接触するのを避けるための切欠き３２とを有し、この仕切板３０上に、電子レンジ加熱によって蒸される食品（図示せず）が収容されるようになっている。
【００２６】
　仕切板３０を構成する素材は、耐熱性、強度、剛性、可撓性、離形性、耐溶出性、衛生性等の面から、ポリエチレン、ポリプロピレン等のポリオレフィン樹脂、またはポリエチレンテレフタレートが好ましく、特にコスト、汎用性、耐熱性といった点で、ポリプロピレンがより好ましい。また、内部の状態が目視できるように、透明素材を用いることが好ましい。
【００２７】
　仕切板３０の形状は、図４に示される有孔のシート状の他、容器本体１の内部構造に応じて、適宜の数および形状の脚部を有する形状や、貫通孔を有する簀子あるいは波板等、加熱すべき食品を支持でき、容器本体１底部からの蒸気を当該食品に曝すことができる蒸気通路を有する限り、特に限定されることはない。中でも、仕切板３０全体が波板状であって、しかも開孔３１が仕切板３０の底部側に配設されることにより、食品を仕切板３０に載置して加熱する際に、食品によって開孔３１が塞がれてしまう可能性が防止できるので、容器本体底部に注加された水から発生する蒸気の流れが潤滑になり、好ましい蒸し効果が期待される。
【００２８】
　容器本体１の開口部を被覆する手段として、合成樹脂性フィルムをヒートシールによって密封した場合には、外気との接触により経時的な変化を防止できる点で有利であるが、変化し難い食品が収納される場合には嵌合蓋、ラップフィルム等が使用できる。いずれにしても、食品を収納した状態で保存、輸送、販売するのに便利であり、また加熱時にこれらで容器本体を被覆することで蒸し効率を向上させ、電子レンジ内の汚染を防止することができるような手段であれば、その形態を問わない。
【００２９】
　また、底壁２の凹部２２内に、注水ガイド部２４を通して注ぎ入れた水を一時的に保持するための保水剤、より好ましは保水シートを設けておくことも可能である。この場合には、注ぎ入れた水は、一旦この保水シートに保持されるので、食品容器全体を傾けても、内部の水が食品に接触することがなく、注水後の取り扱いが容易になる。
【００３０】
　食品容器の内部に収容されている食品は、底壁２に形成された多数の凸部２１に支持されるように載置した場合、食品の下面と凹部２２底面との間には適度な空間が形成される。このように、収容すべき食品が、加熱前および加熱後を通じて十分な保形性を有するものであれば、この食品を食品容器内の凸部２１の頂部に直接支持させてもよいが、保形性が十分でない場合には、適当な仕切板３０を使用し、その上に載せることが望ましい。
【００３１】
　図５を参照して説明すると、加熱に先立って、まず容器本体１の上面をシールしている合成樹脂性のフィルム５を、注水ガイド部２４が設けられている部分のみで容器本体１のフランジ部４から引き剥がし、ほぼ三角形に口を開き注水口とし、この注水口から、その下方に存在する注水ガイド部２４を通して、好ましくは計量カップに適量をとった水を注ぐ。ここで注がれた水は、注水ガイド部２４に案内されながら底壁２に流下し、凸部２１の間に形成されている凹部２２に沿って流れ、凹部２２内に貯まるが、水が適量であれば、水位は凸部２１の頂部まで達することはなく、凸部２１の頂部に直接、あるいは仕切板３０を介して支持されている食品に接触するおそれはない。
【００３２】
　ついでフィルム５を元に戻し、全体をなるべく水平に保持したまま、電子レンジに入れ、通常の食品加熱と同様に加熱する。この加熱により、凹部２２に貯められた水が沸騰し、発生した蒸気が直接、あるいは仕切板３０の開孔３１を通じて食品に接触し、この食品を蒸し調理する。
【００３３】
　以上に記載した容器１の各構成要素に使用される素材はすべて、加熱滅菌や冷凍処理を施すことができ、−２０〜１３０℃の範囲でその特性が実質的に変化し難いものであることが好ましい。
【００３４】
　本考案の電子レンジ加熱用食品容器内に収容される食品としては、例えば、ウインナ、フランクフルトなどのソーセージ類、ミートローフ、蒸し鶏などの加工済もしくは半加工済食品、ギョーザ、シューマイ、肉まん、米飯食品などの冷凍食品もしくはチルド食品等の、加熱時に蒸すことで食感、旨味等が増大することが期待される食品が挙げられる。
【００３５】
　容器本体１を構成する材料は、不透明なものであってもよいが、内部に収納された食品の種類、サイズ、量などに応じて適切な注水量が目視できるように、透明なものの方が有利である。この場合、凹部２２に貯えられる水の量を示す目盛りを付してもよい。あるいは、適切な量の水を適宜の包装形態で、食品を封入した容器に添付してもよい。
　注水、電子レンジ加熱処理後、加熱用食品容器はフィルム５を取り除くだけでそのまま食卓に供することができる。
【産業上の利用可能性】
【００３６】
　内部に収容された（蒸すことで食用に供される食品）食品が、電子レンジで加熱することにより、蒸して調理できる電子レンジ加熱用食品容器であるので、多くの冷凍、レトルト食品の容器として広く適用することができる。
【図面の簡単な説明】
【００３７】
【図１】電子レンジ加熱用食品容器を示す分解斜視図である（実施例１）。
【図２】食品容器を示す斜視図である。
【図３】電子レンジ内での加熱状態を示す説明図である。
【図４】電子レンジ加熱用食品容器を示す分解斜視図である（実施例２）。
【図５】図４のＡ−Ａ線における断面図である。
【図６】図５のＢ−Ｂ線における断面図である。
【符号の説明】
【００３８】
　１　容器本体
　２　底壁
　３　側壁
　４　フランジ部
　５　フィルム
　１０　食品容器
　１２　食品
　１３　ガイド溝
　１５　電子レンジ
　２１　凸部
　２２　凹部
　２３　支持部
　２４　注水ガイド部
　３０　仕切板
　３１　開孔
　３２　切欠き
　Ａ　蒸気
【図１】
0003100343.tif 000003
【図２】
0003100343.tif 000004
【図３】
0003100343.tif 000005
【図４】
0003100343.tif 000006
【図５】
0003100343.tif 000007
【図６】
0003100343.tif 000008